(57)【要約】      （修正有）【課題】不要な大きな力を加えることなく安定にロックできるロック装置を備えた電気的な差込み式コネクタ部品および電気的な差込み式コネクタを提供する。【解決手段】回転可能なロック手段４を有するロックスリーブ３を備え、差込み式コネクタ部品が相手側の差込み式コネクタ部品に連結かつ取り外し可能に固定でき、相手側差込み式コネクタ部品がロックスリーブに付設された管状の相手側ロック部分を備え、相手側ロック部分がロック手段に対して相補的に形成されたロック手段を備え、差込み式コネクタ部品を連結したときに、ロックスリーブと相手側ロック部分が軸方向で互いに係合し、ロックスリーブを回転させることで固定可能であり、差込み式コネクタ部品ハウジング２とロックスリーブの間にエラストマーリング要素８を備え、リング要素がハウジング２の外周溝７内に安定姿勢で収容され、かつロックスリーブの内周溝９に係合し、差込み式コネクタ部品の固定時に、ロックスリーブに接触する。【選択図】図１
0003221159.tif 000002
【実用新案登録請求の範囲】
【請求項１】
差込み式コネクタ部品ハウジング（２）上に回転可能に支持されたロックスリーブ（３）を備え、当該ロックスリーブが少なくとも１個のロック手段（４）を備え、差込み式コネクタ部品（１）が相手側の差込み式コネクタ部品に差込み連結可能であり、かつ当該相手側の差込み式コネクタ部品に取り外し可能に固定可能であり、前記の相手側差込み式コネクタ部品が前記ロックスリーブ（３）に付設されかつ前記の相手側差込み式コネクタ部品の相手側差込み式コネクタ部品ハウジングに形成された管状の相手側ロック部分を備え、当該相手側ロック部分が前記ロックスリーブ（３）の少なくとも１個の前記ロック手段（４）に対して相補的に形成された相手側ロック手段を備え、差込み式コネクタ部品（１）を前記相手側差込み式コネクタ部品に差込み連結したときに、前記ロックスリーブ（３）と前記の相手側ロック部分が軸方向において少なくとも部分的に互いに係合し、かつ前記ロックスリーブ（３）を回転させることによって互いに固定可能であり、さらに前記差込み式コネクタ部品ハウジング（２）と前記ロックスリーブ（３）の間に弾性変形可能なリング要素（８）を備え、当該リング要素が前記差込み式コネクタ部品ハウジング（２）の外周溝（７）内に安定した姿勢で収容され、少なくとも前記差込み式コネクタ部品（１）の固定時に前記ロックスリーブ（３）に接触しかつ当該ロックスリーブによって押圧力を加えられるかまたは加えることが可能である、電気的な差込み式コネクタ部品（１）において、前記ロックスリーブ（３）が内周溝（９）を備え、当該内周溝に前記リング要素（８）が係合することを特徴とする電気的な差込み式コネクタ部品（１）。
【請求項２】
前記ロックスリーブ（３）の前記内周溝（９）が軸方向において、前記差込み式コネクタ部品ハウジング（２）の前記外周溝（７）よりも幅が広いことを特徴とする請求項１に記載の電気的な差込み式コネクタ部品（１）。
【請求項３】
前記ロックスリーブ（３）が前記差込み式コネクタ部品ハウジング（２）上で軸方向に制限されて摺動可能であることを特徴とする請求項１または２に記載の電気的な差込み式コネクタ部品（１）。
【請求項４】
前記ロックスリーブ（３）がその前記内周溝（９）の幅に相応して前記差込み式コネクタ部品ハウジング（２）と相対的に摺動可能であることを特徴とする請求項３に記載の電気的な差込み式コネクタ部品（１）。
【請求項５】
前記ロックスリーブ（３）の前記内周溝（９）が非対称の横断面形状を有することを特徴とする請求項１〜４のいずれか一項に記載の電気的な差込み式コネクタ部品（１）。
【請求項６】
前記差込み式コネクタ部品（１）の差込み側（１２）寄りの前記ロックスリーブ（３）の前記内周溝（９）の前側の溝縁部範囲（１４）が、前記差込み側（１２）から離れた後側の溝縁部範囲（１５）よりも半径方向に深く形成されていることを特徴とする請求項５に記載の電気的な差込み式コネクタ部品（１）。
【請求項７】
前記内周溝（９）の後側の前記溝縁部範囲（１５）が軸方向において傾斜路状に上り勾配に形成されていることを特徴とする請求項６に記載の電気的な差込み式コネクタ部品（１）。
【請求項８】
前記ロックスリーブ（３）の前記内周溝（９）が前記差込み式コネクタ部品（１）の軸方向において、前記差込み式コネクタ部品（１）の差込み側（１２）とは反対の、前記ロックスリーブ（３）の少なくとも１個の前記ロック手段（４）の側に配置されていることを特徴とする請求項１〜７のいずれか一項に記載の電気的な差込み式コネクタ部品（１）。
【請求項９】
前記リング要素（８）がＯリングであることを特徴とする請求項１〜８のいずれか一項に記載の電気的な差込み式コネクタ部品（１）。
【請求項１０】
差込み式コネクタ部品ハウジング（２）上に回転可能に支持されたロックスリーブ（３）を有する差込み式コネクタ部品（１）と、前記ロックスリーブ（３）に付設されかつ相手側差込み式コネクタ部品ハウジングに形成された、前記差込み式コネクタ部品（１）を相手側差込み式コネクタ部品に取り外し可能に固定するための管状の相手側ロック部分を備えた相手側差込み式コネクタ部品とを備え、前記ロックスリーブ（３）が少なくとも１個のロック手段（４）を備え、前記の相手側ロック部分が相補的に形成された少なくとも１個の相手側ロック手段を備え、前記両ロック手段が互いに連結可能であり、差込み式コネクタ部品（１）を相手側差込み式コネクタ部品に差込み連結したときに、前記ロックスリーブ（３）と前記の相手側ロック部分が軸方向において少なくとも部分的に互いに係合し、かつ前記ロックスリーブ（３）を回転させることによって互いに固定可能であり、さらに前記差込み式コネクタ部品ハウジング（２）と前記ロックスリーブ（３）の間に弾性変形可能なリング要素（８）を備え、当該リング要素が前記差込み式コネクタ部品ハウジング（２）の外周溝（７）内に安定した姿勢で収容され、少なくとも前記差込み式コネクタのロック状態で前記ロックスリーブ（３）に接触しかつ当該ロックスリーブによって押圧付勢されるかまたは押圧付勢可能である、電気的な差込み式コネクタにおいて、前記差込み式コネクタ部品（１）が請求項１〜９の少なくとも一項に記載の特徴を有することを特徴とする電気的な差込み式コネクタ。
【考案の詳細な説明】
【技術分野】
【０００１】
本考案は、差込み式コネクタ部品ハウジング上に回転可能に支持されたロックスリーブを備え、このロックスリーブが少なくとも１個のロック手段を備え、差込み式コネクタ部品が相手側の差込み式コネクタ部品に差込み連結可能であり、取り外し可能にこの相手側の差込み式コネクタ部品に固定可能であり、相手側差込み式コネクタ部品がロックスリーブに付設されかつ相手側差込み式コネクタ部品の相手側差込み式コネクタ部品ハウジングに形成された管状の相手側ロック部分を備え、この相手側ロック部分がロックスリーブの少なくとも１個のロック手段に対して相補的に形成された相手側ロック手段を備え、差込み式コネクタ部品を相手側差込み式コネクタ部品に差込み連結したときに、ロックスリーブと相手側ロック部分が軸方向において少なくとも部分的に互いに係合し、かつロックスリーブを回転させることによって互いに固定可能であり、さらに差込み式コネクタ部品ハウジングとロックスリーブの間に弾性変形可能なリング要素を備え、このリング要素が差込み式コネクタ部品ハウジングの外周溝内に安定した姿勢で収容され、少なくとも差込み式コネクタ部品の固定時にロックスリーブに接触しかつこのロックスリーブによって押圧付勢されるかまたは押圧付勢可能である、電気的な差込み式コネクタ部品に関する。
【０００２】
本考案はさらに、このような差込み式コネクタ部品を備えた電気的な差込み式コネクタに関する。
【背景技術】
【０００３】
冒頭に述べた種類の、相手側の差込み式コネクタ部品に連結するための電気的な差込み式コネクタ部品と、差込み式コネクタ部品と相手側差込み式コネクタ部品を有する電気的な差込み式コネクタは、従来技術から多彩な実施形が知られている。例えば特許文献１と特許文献２が参照される。
【０００４】
特許文献２は電気的な差込み式コネクタを開示している。この差込み式コネクタは差込み式コネクタ部品と、この差込み式コネクタ部品に差込み連結可能な相手側の差込み式コネクタ部品と、相手側差込み式コネクタ部品のねじ付きスリーブに差込み式コネクタ部品をねじ止めするための袋ナットとを備えている。この袋ナットは差込み式コネクタ部品によって支持されて差込み式コネクタ部品の固定スリーブ上に所定の軸方向遊びをもって配置されている。この場合、互いに付設されたねじ付きスリーブのおねじと袋ナットのめねじは、差込み方向に設けられた少なくとも各々１つのねじなし範囲と、周方向においてこのねじなし範囲に接続する少なくとも１つのねじ付き範囲を有する。そして、差込み式コネクタ部品を相手側差込み式コネクタ部品に差込み連結する際に、ねじ付き範囲が差込み式コネクタ部品または相手側差込み式コネクタ部品の各ねじなし範囲に挿入可能であるように、各ねじなし範囲とねじ付き範囲が形成および配置されている。袋ナットを支持する差込み式コネクタ部品の固定スリーブと袋ナットとの間には、摩擦ブレーキとしてのゴム弾性的なリング要素が配置されている。このリング要素には袋ナットがかぶさって押圧している。
【０００５】
この公知の差込み式コネクタの場合、ゴム弾性的なリング要素が袋ナットによって永続的に押圧され、従って持続的な摩擦抵抗が存在し、袋ナットを時計回りに回転する際にも反時計回りに回転する際にもこの摩擦抵抗が作用し、これは固定スリーブと相対的な袋ナットの位置に関係なく生じるという欠点がある。これにより、摩擦トルクがロック過程の終了時だけでなく、開始時にも作用する。これは、使用者がロック過程の大部分にわたって不要な大きな力を加えなければならないことを意味する。この不要な力は、ロックのために袋ナットを約９０°以上の角度だけ回転しなければならないときに不利である。これは特に、ねじ付きスリーブがおねじとしての全ねじを有する相手側差込み式コネクタ部品によって、差込み式コネクタ部品をロックするときに骨が折れる。
【先行技術文献】
【特許文献】
【０００６】
【特許文献１】独国特許第１０２００５０５６５６３Ｂ３号明細書
【特許文献２】独国実用新案第２０２００７００２０４１Ｕ１号明細書
【考案の概要】
【考案が解決しようとする課題】
【０００７】
本考案の根底をなす課題は、上記の従来技術から出発して、摩擦トルクが振動ブレーキとして必要であるときに、摩擦トルクがロック過程の終了時に初めて作用する可能性を提案することである。
【課題を解決するための手段】
【０００８】
この課題は本考案に従い、請求項１と請求項１０に記載した電気的な差込み式コネクタ部品と電気的な差込み式コネクタによって解決される。他の有利な実施形は各従属請求項から明らかである。
【０００９】
本考案では、電気的な差込み式コネクタ部品は内周溝を有するロックスリーブを備えている。この内周溝には、弾性変形可能なリング要素が係合し、このリング要素は差込み式コネクタ部品ハウジングの外周溝に収容されている。リング要素はそれ自体閉じたリング状の、好ましくは封止作用をするエラストマー成形部品として形成されている。この成形部品は適当な材料から、少なくとも外周溝に適合した横断面形状を有するように作られている。リング要素はロックスリーブの内周溝を部分的にのみ埋めている。差込み式コネクタ部品が相手側差込み式コネクタ部品に固定された場合にのみ、リング要素は内周溝内で接触し、それによってロック位置でのみロックスリーブによって押圧力を加えられ、従って摩擦制動作用をする。リング要素は好ましくはＯリングである。その際、ロックスリーブは好ましくはスナップリングによって、差込み式コネクタハウジングの円筒状に形成された支持部分に保持されている。
【００１０】
相手側差込み式コネクタ部品に差込み連結可能でこの相手側差込み式コネクタ部品に取り外し可能に固定可能である差込み式コネクタ部品のロックスリーブは、差込み式コネクタ部品ハウジング上に回転可能に支持されている。ロックスリーブは少なくとも１つのロック手段を備え、このロック手段は、ロックスリーブに付設されかつ相手側差込み式コネクタ部品の相手側差込み式コネクタ部品ハウジングに形成された管状の相手側ロック部分の、相補的に形成された少なくとも１つの相手側ロック手段に作用連結可能である。差込み式コネクタ部品が相手側差込み式コネクタ部品に差込み連結されたときに、ロックスリーブと相手側ロック部分は少なくとも部分的に軸方向に互いに係合し、ロックスリーブの回転によって取り外し可能に互いに固定可能である。その際、ロックリーブの少なくとも１つのロック手段はロックスリーブの外側または内側に形成可能である。ロック手段に対して相補的に形成された少なくとも１つの相手側ロック手段は、相手側差込み式コネクタ部品の相手側ロック部分に相関的に形成されている。
【００１１】
本考案の異なる実施形では好ましくは、ロックスリーブの少なくとも１つのロック手段と、相手側ロック部分の少なくとも１つの相手側ロック手段が、全ねじとして、周方向においてセグメント化された部分ねじとしてまたは差込継手または差込ロックとして形成されている。
【００１２】
本考案に係る実施形では、ロックスリーブの内周溝が軸方向において、差込み式コネクタ部品ハウジングの外周溝よりも幅が広いと有利である。これに関連して、溝の幅とは、溝の形状や溝縁部範囲の形状に関係なく、窪んでいる範囲であると理解される。これは、溝が両溝縁部範囲を含んでいることを意味する。その際、窪みによって形成された溝は一般的に、対称または非対称の形状を有することができ、特に溝縁部範囲に関して垂直な側面、傾斜した側面または湾曲した側面を有することができる。差込み式コネクタ部品のロックスリーブは差込み式コネクタ部品ハウジングの支持部分上で差込み式コネクタ部品ハウジングと相対的に軸方向に制限されて摺動できるように配置されている。差込み式コネクタ部品ハウジングに対してロックスリーブの軸方向遊びを設けることにより、振動ブレーキとして作用するリング要素がロックスリーブの内周溝内で支持部分の軸方向に横方向摺動可能である。特に、ロックスリーブは差込み式コネクタ部品ハウジングと相対的にロックスリーブの内周溝の幅に相応して摺動可能である。これにより、リング要素は相手側差込み式コネクタ部品に対する差込み式コネクタ部品のロック時およびロック解除時に、差込み式コネクタ部品の差込み側の方に向いた、ロックスリーブの内周溝の前側の溝縁部範囲と、差込み式コネクタ部品の差込み側から離れた、ロックスリーブの内周溝の後側の溝縁部範囲との間で摺動可能である。
【００１３】
本考案の有利な実施形では、ロックスリーブの内周溝が非対称の横断面形状を有する。この場合特に、差込み式コネクタ部品の差込み側寄りのロックスリーブの内周溝の前側の溝縁部範囲が、差込み側から離れた後側の溝縁部範囲よりも半径方向に深く形成されている。これは、両溝縁部範囲が異なる深さに形成され、溝縁部範囲の側面の勾配が異なっていることと、リング要素が前側の溝縁部範囲によって押圧されるのではなく、後側の溝縁部範囲によって押圧されることを意味する。この両溝縁部範囲はロックスリーブの軸方向において互いに離隔されているかまたは互いに直接接続している。従って、リング要素が後側の溝縁部範囲の近くに位置するように、ロックスリーブが差込み式コネクタ部品ハウジングの支持部分と相対的に摺動するときに、弾性変形可能なリング要素はロックスリーブによって押圧付勢される。これは差込み式コネクタ部品のロック状態でのみ行われる。それによって、リング要素はこの位置で振動ブレーキとして作用する。しかし、リング要素が前側の溝縁部範囲の近くに位置するように、ロックスリーブが差込み式コネクタ部品ハウジングの支持部分と相対的に摺動しているときに、リング要素はロックスリーブによって押圧付勢されない。これは差込み式コネクタ部品の完全なまたは部分的なロック解除状態の場合である。それによって、リング要素はこの位置では振動ブレーキとして作用せず、ロックスリーブは周方向に妨害されずに回転可能である。
【００１４】
ロックスリーブの内周溝の深さは前側の溝縁部範囲から後側の溝縁部範囲へ軸方向に無段階にまたは段階的に増大させることができる。所望な変形では、内周溝の後側の溝縁部範囲がロックスリーブの軸方向において傾斜路状に上り勾配に形成されている。勾配は直線であってもよいし、曲線であってもよい。それによって、リング要素の押圧付勢はロックスリーブを締め付けることによって増大する。これは振動ブレーキの作用が相応して増大することを意味する。
【００１５】
本考案の実施形では、ロックスリーブの内周溝が差込み式コネクタ部品の支持部分の軸方向において、差込み式コネクタ部品の差込み側とは反対の、ロックスリーブの少なくとも１個のロック手段の側に配置されている。それによって、リング要素は差込み側の範囲ではなく、差込みコネクタ部品の接続側の範囲内にある。従って、リング要素は相手側差込み式コネクタ部品への差込みコネクタ部品の差込みを妨害せず、よってリング要素は傷つかない。
【００１６】
本考案は、リング要素のための収容溝と係合溝の物理的に逆の位置も含む。それによって、代替的に、リング要素をロックスリーブの内周溝に安定した姿勢で収容し、差込み式コネクタ部品ハウジングの支持部分の外周溝に係合させることができる。
【００１７】
差込み式コネクタ部品ハウジング上に回転可能に支持されたロックスリーブを有する差込み式コネクタ部品と、ロックスリーブに付設されかつ相手側差込み式コネクタ部品ハウジングに形成された、差込み式コネクタ部品を相手側差込み式コネクタ部品に取り外し可能に固定するための管状の相手側ロック部分を備えた相手側差込み式コネクタ部品とを具備する、本考案に係る電気的な差込み式コネクタは、上述の特徴を有する差込みコネクタ部品を備えている。
【００１８】
明細書で上述した特徴および特徴組合せと、次に図面の説明で述べるおよび／または図に示した特徴および特徴組合せは、それぞれ記載した組合せだけでなく、他の組合せでも単独でも使用可能である。本考案を実施するためには、請求項１のすべての特徴を実現しなければならないことはない。さらに、独立請求項または併合請求項の個々の特徴は、開示された他の特徴または特徴組合せによって置き換え可能である。
【００１９】
特許請求の範囲、明細書または図面から読み取れるすべての特徴および効果は、構造的な詳細、空間的な配置および方法ステップを含めて、単独でもいろいろな組合せでも本考案にとって重要である。図において、同一または類似の構成部分は同一または類似の参照符号で表されている。
【００２０】
次に、図に示した実施の形態に基づいて本考案を詳しく説明する。
【図面の簡単な説明】
【００２１】
【図１】回転可能に支持されたロック手段を有するロックスリーブを備え、相補的な相手側ロック手段を有する相手側ロック部分を備えた相手側差込み式コネクタ部品にロック可能であり、さらに差込み式コネクタ部品ハウジングとロックスリーブの間に弾性的なリング要素を具備する、本考案に係る電気的な差込み式コネクタ部品の縦断面図である。
【図２】図１の差込み式コネクタ部品の三次元分解図である。
【図３】押圧されていない状態のリング要素の範囲内の図１の部分拡大図である。
【図４】リング要素が押圧されている状態の図３の部分拡大図である。
【考案を実施するための形態】
【００２２】
図１は電気的な差込み式コネクタ部品１を示している。差込み式コネクタ部品は本考案に係る電気的な差込み式コネクタの一部であり、かつ相手側の差込み式コネクタ部品に、振動を防止するように連結されるよう形成されている。差込み式コネクタ部品１は差込み式コネクタ部品ハウジング２に回転可能に支持されたロックスリーブ３を備え、図示していない相手側差込み式コネクタ部品はロックスリーブ３に付設されかつ相手側差込み式コネクタ部品ハウジングに形成された、差込み式コネクタ部品１を相手側差込み式コネクタ部品に取り外し可能に固定するための管状の相手側ロック部分を備えている。この場合、ロックスリーブ３は全ねじの形をしたロック手段４を備え、相手側差込み式コネクタ部品の相手側差込み式コネクタ部品ハウジングの相手側ロック部分は相手側ねじの形をした相補的に形成された相手側ロック手段を備えている。このロック手段と相手側ロック手段は互いに連結可能である。ロックスリーブ３と相手側ロック部分は、差込み式コネクタ部品１を相手側差込み式コネクタ部品に差込み連結する際に、部分的に軸方向に互いにかみ合い、そしてロックスリーブ３を回転することによって互いに取り外し可能に固定可能である。このロックスリーブは差込み式コネクタ部品ハウジング２の支持部分５によって支持され、かつスナップリング６によってそこに保持されている。差込み式コネクタ部品ハウジング２とロックスリーブ３の間において、差込み式コネクタ部品ハウジング２の支持部分５の外周溝７内には、弾性変形可能なリング要素８が安定した姿勢で収容されている。このリング要素は差込み式コネクタの図示していないロック状態ではロックスリーブ３に接触し、このロックスリーブによって押圧付勢されている。ロックスリーブ３は図示した実施の形態では内周溝９を備えている。この内周溝にはリング要素８が係合する。
【００２３】
ロックスリーブ３の内周溝９はロックスリーブ３の軸方向において、差込み式コネクタ部品ハウジング２の外周溝７よりも幅が広い。ロックスリーブ３は差込み式コネクタ部品ハウジング２の支持部分５上で制限されて軸方向に摺動可能である。ロックスリーブ３を保持するスナップリング６は一方では支持部分５の外周溝１０に挿入され、他方では内側の保持溝１１内に軸方向遊びをもって係合している。保持溝１１の幅は、リング要素８が係合するロックスリーブ３の内周溝９の幅にほぼ一致している。それによって、ロックスリーブ３はロックスリーブ３の内周溝９の幅に相応して差込み式コネクタ部品ハウジング２と相対的に摺動可能である。図示した実施の形態では、保持溝１１はロックスリーブ３のねじ状に形成されたロック手段４に直接接続している。ロックスリーブ３は差込み式コネクタ部品ハウジング２の支持部分５上で保持溝１１の全幅にわたって軸方向に摺動することはできない。スナップリング６はリング要素８寄りの保持溝１１の後側側面のためのストッパを形成し、それによってロックスリーブ３の内周溝９が差込み式コネクタ部品ハウジング２の支持部分５の外周溝７と相対的におよびその中に収容されたリング要素８と相対的にどのくらい摺動可能であるかを定める。
【００２４】
図２は差込み式コネクタ部品１の組立てられていない状態の個々の部品を示している。差込み式コネクタ部品ハウジング２内には、電気的な接触要素を備えた見えない絶縁体が設けられている。
【００２５】
差込み式コネクタ部品１は前側の差込み側１２と後側の接続側１３を有し、ロックスリーブ３の内周溝９は非対称の横断面形状を有する。これは図３と図４から明らかである。ロックスリーブ３の内周溝９はロックスリーブ３の半径方向において、差込み式コネクタ部品１の差込み側１２寄りの前側の溝縁部範囲１４が差込み側１２から離れた、差込み式コネクタ部品１の接続側１３寄りの後側の溝縁部範囲１５よりも深く形成されている。本実施の形態では、図３と図４に従い、内周溝９の後側の溝縁部範囲１５は取り巻く傾斜路状にロックスリーブ３の軸方向に上り勾配に形成されている。後側の溝縁部範囲はリング要素８のための押圧傾斜路１６を有する。
【００２６】
リング要素８は図３に示した位置では、ロックスリーブ３によって押圧付勢されていない。なぜなら、リング要素８が深い前側の溝縁部範囲１４の近くに位置するように、ロックスリーブ３が差込み式コネクタ部品ハウジング２の支持部分５に対して配置されているからである。これは差込み式コネクタ部品１の完全にまたは部分的にロック解除された状態である。それによって、リング要素８はこの位置では振動ブレーキとして作用しないので、ロックスリーブ３は周方向に自由に回転可能である。差込み式コネクタ部品１を相手側差込み式コネクタ部品にロックする際は、ロックスリーブ３が差込み式コネクタ部品１の差込み側１２の方へ自動的に引っ張り保持される。ロックスリーブ３が差込み式コネクタ部品ハウジング２の支持部分５と相対的に軸方向に摺動する際に、押圧傾斜路１６は弾性変形可能なリング要素８に乗り上げる。その際、図４に示すように、リング要素８が内周溝９の後側の溝縁部範囲１５の近くに位置するように、ロックスリーブ３が差込み式コネクタ部品ハウジング２の支持部分５と相対的に摺動するときに、リング要素はロックスリーブ３によって押圧付勢される。これは、図４に示した差込み式コネクタ部品１のロック状態でのみ達成される。それによって、リング要素８は振動ブレーキとして作用し、ロックスリーブ３は周方向に自由に回転することができない。
【符号の説明】
【００２７】
１  差込み式コネクタ部品
２  差込み式コネクタ部品ハウジング
３  ロックスリーブ
４  ロック手段
７  外周溝
８  リング要素
９  内周溝
【図１】
0003221159.tif 000003
【図２】
0003221159.tif 000004
【図３】
0003221159.tif 000005
【図４】
0003221159.tif 000006